(57)【要約】【課題】詳細な家計簿情報をシステム運営側に預けることなく、プライバシーを守ったまま家計分析サービスを受けることを可能とする。【解決手段】ネットワーク１５に接続された少なくとも1つのユーザーコンピュータ１と、前記ネットワークに接続されたサーバー２とからなり、前記ユーザーコンピュータ１は家計簿情報３を集計する集計手段４と、前記集計手段４によって集計された集計情報５を暗号化して暗号情報を生成する暗号生成手段６とを備え、前記サーバー２は前記暗号情報を復号集計情報８に復号化する暗号復号手段７と、前記復号集計情報８から家計分析情報１０を生成する家計分析情報生成手段９とを備え、前記家計分析情報を前記ユーザーコンピュータへ前記ネットワークを介して提供する。【選択図】図１
2005196657.tif 000002
【特許請求の範囲】
【請求項１】
ネットワークに接続された少なくとも1つのユーザーコンピュータと、前記ネットワークに接続されたサーバーとからなり、前記ユーザーコンピュータは家計簿情報を集計する集計手段と、前記集計手段によって集計された集計情報を暗号化して暗号情報を生成する暗号生成手段とを備え、前記サーバーは前記暗号情報を復号集計情報に復号化する暗号復号手段と、前記復号集計情報から家計分析情報を生成する家計分析情報生成手段とを備え、前記家計分析情報を前記ユーザーコンピュータへ前記ネットワークを介して提供することを特徴とする家計簿システム。
【請求項２】
前記サーバーは前記復号集計情報に対する分析を行うと共に、前記復号集計情報に基づくマーケティング情報を生成するマーケティング情報生成手段とを更に備えたことを特徴とする請求項1記載の家計簿システム。
【請求項３】
世帯情報を前記集計情報と共に前記暗号生成手段で暗号化し、前記暗号復号手段にて前記復号集計情報と復号世帯情報とに復号し、前記家計分析手段によって前記復号集計情報と前記復号世帯情報から家計分析情報を生成することを特徴とする請求項1記載の家計簿システム。
【発明の詳細な説明】
【技術分野】
【０００１】
本発明は、少なくとも1つのユーザーコンピュータとサーバーとから構成され、プライバシーに配慮した家計簿システムに関するものである。
【背景技術】
【０００２】
ネットワークを利用した家計簿システムの中で、サーバー側に家計簿情報を記憶して、ユーザー端末に家計分析情報サービスを提供する家計簿システムがある。
【０００３】
しかし、家計分析情報サービスを提供する為に家計簿情報をサーバー側に記憶する必要がある。図７は、サーバー側に家計簿情報を記憶する家計簿システムの構成を示したものであり、２０はユーザーコンピュータ、２１はサーバー、２２は家計簿情報を表す。このようにシステム運営側に詳細な家計簿情報を預けるために、サーバーを運営管理する法人やスタッフに詳細な家計簿情報を見られる可能性があるという欠点があった。
【０００４】
家計簿システムに詳細な家計簿情報を入力する場合において、この欠点はプライバシー上大きな障害であり問題があった。
【特許文献１】特開２００２−４１７７６号公報
【発明の開示】
【発明が解決しようとする課題】
【０００５】
解決しようとする問題点は、家計分析情報サービスを受けられる家計簿システムにおいて、プライバシーを保護できない点である。
【課題を解決するための手段】
【０００６】
本発明は、ユーザーコンピュータ側に家計簿情報を集計する集計手段を備え、家計簿情報の集計情報のみサーバー側に送ることによるプライバシー保護を最も主要な特徴とする。
【発明の効果】
【０００７】
本発明の家計簿システムは、詳細な家計簿情報をサーバー側に持たなくても、家計分析情報サービスを受けられるという利点がある。
【発明を実施するための最良の形態】
【０００８】
プライバシーを保護するという目的を、家計簿としての利便性を損なわずに実現した。
【実施例１】
【０００９】
図１は、本発明システムの１実施例の構成図であって、１〜１０および１５は、図２、図３と同様である。
【００１０】
家計簿情報３は集計手段４によって、家計分析に必要最低限の集計情報５に集計される。
【００１１】
集計情報５は暗号生成手段６によって、暗号化されてネットワーク１５を介してサーバー２の暗号復号手段７へ送られる。
【００１２】
暗号復号手段７によって復号化された復号集計情報８は家計分析手段９によって家計分析されてネットワーク１５を介してユーザーコンピュータ１に送られ家計分析情報１０として蓄えられる。
【００１３】
図２の実施例は、サーバー２の復号集計情報８からマーケティング情報生成手段１１によってマーケティング情報１２を得られる。
【００１４】
図３の実施例は、ユーザーコンピュータ１にて世帯情報１３を集計情報５と共に暗号生成手段６で暗号化し、サーバー２へネットワーク１５を介して送る。サーバー２では暗号復号手段７にて復号された復号集計情報８と復号世帯情報１４とから家計分析を家計分析手段９にて行い、ネットワーク１５を介してユーザーコンピュータへ送る。家計分析手段９にて家計分析する際に復号世帯情報１４も参照することから、より詳細な家計分析ができる。
【００１５】
図４は、家計簿情報９に格納された家計簿情報のフォーマットを示した図である。ここでは購入した品名、その費目、日付、および金額が格納されている。個別の購入記録にプライバシー上他人に知られたくないものが含まれることがある。
【００１６】
図５は、家計簿情報９を集計手段４によって集計された集計情報５のフォーマットを示した図である。ここでは月別、費目別に集計された金額が格納されている。一般的に家計分析サービスを提供する場合は、この集計情報のみで十分である。また、集計されたことによって個別の購入記録は含まれない。
【００１７】
図６は、世帯情報１９に格納された世帯情報のフォーマットを示した図である。ここでは、ユーザーが住んでいる地域や家族構成が格納されている。この世帯情報を参照しながら家計分析を行うことにより、地域別の物価や家族構成に配慮した、より詳細な家計分析が可能になる。
【産業上の利用可能性】
【００１８】
詳細な家計簿情報をシステム運営側に置くことなく、プライバシーに配慮した様々な金融サービスにも適用できる。
【図面の簡単な説明】
【００１９】
【図１】家計簿システムの実施方法を示した説明図である。（実施例１）
【図２】家計簿システムの実施方法を示した説明図である。（実施例２）
【図３】家計簿システムの実施方法を示した説明図である。（実施例３）
【図４】家計簿情報３に格納された家計簿情報のデータフォーマットを示した説明図である。
【図５】集計情報５に格納された集計情報のデータフォーマットを示した説明図である。
【図６】世帯情報１３に格納された世帯情報のデータフォーマットを示した説明図である。
【図７】従来の家計簿システムの概要を示した説明図である。
【符号の説明】
【００２０】
１    ユーザーコンピュータ
２    サーバー
３    家計簿情報
４    集計手段
５    集計情報
６    暗号生成手段
７    暗号復号手段
８    復号集計情報
９    家計分析手段
１０  家計分析情報
１１  マーケティング情報生成手段
１２  マーケティング情報
１３  世帯情報
１４  復号世帯情報
１５  ネットワーク
２０  ユーザーコンピュータ
２１  サーバー
２２  家計簿情報
【図１】
2005196657.tif 000003
【図２】
2005196657.tif 000004
【図３】
2005196657.tif 000005
【図４】
2005196657.tif 000006
【図５】
2005196657.tif 000007
【図６】
2005196657.tif 000008
【図７】
2005196657.tif 000009